(57)【特許請求の範囲】
【請求項１】
可変容量素子を有し、前記可変容量素子に印加される電圧に基づいて発振周波数が変化する発振回路と、
制御信号に基づいて前記可変容量素子に印加する前記電圧を生成する電圧生成手段と、を含み、
前記制御信号は、アナログ信号であり、
前記電圧生成手段は、
前記制御信号をデジタル信号に変換するＡ／Ｄ変換回路と、前記Ａ／Ｄ変換回路が変換した前記デジタル信号を前記可変容量素子に印加する前記電圧に変換するＤ／Ａ変換回路とを含み、
前記Ａ／Ｄ変換回路は、
前記制御信号を、前記制御信号の変化に対して非線形に変化する前記デジタル信号に変換し、
前記Ｄ／Ａ変換回路は、
前記Ａ／Ｄ変換回路が変換した前記デジタル信号を、前記デジタル信号の変化に対して非線形に変化する前記電圧に変換し、
前記制御信号の変化に対して前記電圧生成手段が生成する前記電圧が非線形に変化することにより、前記制御信号の変化に対する前記発振周波数の変化が線形に近づくように補正される、発振器。
【請求項２】
請求項１に記載の発振器を備えている、電子機器。
【請求項３】
請求項１に記載の発振器を備えている、移動体。
【発明の詳細な説明】
【技術分野】
【０００１】
本発明は、発振器、電子機器及び移動体に関する。
【背景技術】
【０００２】
特許文献１には、電圧制御発振器において、可変容量ダイオード（バリキャップ）の容量変化が端子間に印加される電圧に対して非線形の特性を有するため、抵抗を用いて制御電圧を分圧することにより可変容量ダイオードの端子間に印加される電圧を容量変化の直線性が良い範囲に制限することで発振周波数を直線的に可変できることが記載されている。
【先行技術文献】
【特許文献】
【０００３】
【特許文献１】特開平１０−２１５１２０号公報
【発明の概要】
【発明が解決しようとする課題】
【０００４】
しかしながら、特許文献１に記載の発振器では、可変容量ダイオードの端子間に印加される電圧が容量変化の直線性が良い範囲に制限されるため、周波数可変範囲が制限されてしまうという問題がある。
【０００５】
本発明は、以上のような問題点に鑑みてなされたものであり、本発明のいくつかの態様によれば、周波数可変範囲を広げることが可能な発振器を提供することができる。また、本発明のいくつかの態様によれば、当該発振器を用いた電子機器及び移動体を提供することができる。
【課題を解決するための手段】
【０００６】
本発明は前述の課題の少なくとも一部を解決するためになされたものであり、以下の態様または適用例として実現することが可能である。
【０００７】
［適用例１］
本適用例に係る発振器は、可変容量素子を有し、前記可変容量素子に印加される電圧に基づいて発振周波数が変化する発振回路と、制御信号に基づいて前記可変容量素子に印加する前記電圧を生成する電圧生成手段と、を含み、前記制御信号の変化に対して前記電圧生成手段が生成する前記電圧が非線形に変化することにより、前記制御信号の変化に対する前記発振周波数の変化が線形に近づくように補正される。
【０００８】
本適用例に係る発振器によれば、電圧生成手段が制御信号の変化に対して非線形に変化する電圧を生成することにより、制御信号の変化に対する発振周波数の変化が線形に近づくように補正されるので、可変容量素子の容量変化が非線形の領域も利用することができ、周波数可変範囲を広げることができる。
【０００９】
［適用例２］
上記適用例に係る発振器において、前記制御信号は、デジタル信号であり、前記電圧生成手段は、Ｄ／Ａ変換回路を含んでもよい。
【００１０】
［適用例３］
上記適用例に係る発振器において、前記Ｄ／Ａ変換回路は、入力信号の変化に対して出
力電圧が非線形に変化してもよい。
【００１１】
本適用例に係る発振器によれば、入出力特性が非線形のＤ／Ａ変換回路により、制御信号の変化に対する発振周波数の変化が線形に近づくように補正されるので、可変容量素子の容量変化が非線形の領域も利用することができ、周波数可変範囲を広げることができる。
【００１２】
［適用例４］
上記適用例に係る発振器において、前記Ｄ／Ａ変換回路は、入力信号の変化に対して出力電圧が線形的に変化し、前記電圧生成手段は、前記制御信号を、前記制御信号の変化に対して非線形に変化する信号に変換して前記Ｄ／Ａ変換回路に出力する信号変換手段を含んでもよい。
【００１３】
本適用例に係る発振器によれば、入出力特性が線形のＤ／Ａ変換回路への入力信号が制御信号の変化に対して非線形に変化することにより、制御信号の変化に対する発振周波数の変化が線形に近づくように補正されるので、可変容量素子の容量変化が非線形の領域も利用することができ、周波数可変範囲を広げることができる。
【００１４】
［適用例５］
上記適用例に係る発振器において、前記信号変換手段は、ルックアップテーブルを用いて前記制御信号を前記非線形に変化する信号に変換してもよい。
【００１５】
［適用例６］
上記適用例に係る発振器において、前記制御信号は、アナログ信号であり、前記電圧生成手段は、前記制御信号をデジタル信号に変換するＡ／Ｄ変換回路と、前記Ａ／Ｄ変換回路が変換した前記デジタル信号を前記可変容量素子に印加する前記電圧に変換するＤ／Ａ変換回路とを含んでもよい。
【００１６】
［適用例７］
上記適用例に係る発振器において、前記Ａ／Ｄ変換回路は、前記制御信号を、前記制御信号の変化に対して非線形に変化する前記デジタル信号に変換してもよい。
【００１７】
本適用例に係る発振器によれば、入出力特性が非線形のＡ／Ｄ変換回路により、制御信号の変化に対する発振周波数の変化が線形に近づくように補正されるので、可変容量素子の容量変化が非線形の領域も利用することができ、周波数可変範囲を広げることができる。
【００１８】
［適用例８］
上記適用例に係る発振器において、前記Ｄ／Ａ変換回路は、前記Ａ／Ｄ変換回路が変換した前記デジタル信号を、前記デジタル信号の変化に対して非線形に変化する前記電圧に変換してもよい。
【００１９】
本適用例に係る発振器によれば、入出力特性が非線形のＤ／Ａ変換回路により、制御信号の変化に対する発振周波数の変化が線形に近づくように補正されるので、可変容量素子の容量変化が非線形の領域も利用することができ、周波数可変範囲を広げることができる。
【００２０】
［適用例９］
本適用例に係る電子機器は、上記のいずれかの発振器を備えている。
【００２１】
［適用例１０］
本適用例に係る移動体は、上記のいずれかの発振器を備えている。
【００２２】
これらの適用例によれば、周波数可変範囲を広げることが可能な発振器を用いるので、例えば、信頼性の高い電子機器及び移動体を実現することができる。
【図面の簡単な説明】
【００２３】
【図１】本実施形態の発振器の斜視図。
【図２】第１実施形態の発振器の構成を示す図。
【図３】第１実施形態における制御電圧と発振周波数との関係の一例を示す図。
【図４】第１実施形態におけるＤ／Ａ変換回路の入出力特性の一例を示す図。
【図５】第１実施形態の発振器の入出力特性の一例を示す図。
【図６】Ｄ／Ａ変換回路の構成例を示す図。
【図７】第２実施形態の発振器の構成を示す図。
【図８】第２実施形態におけるＡ／Ｄ変換回路及びＤ／Ａ変換回路から成る回路の入出力特性の一例を示す図。
【図９】第２実施形態の発振器の入出力特性の一例を示す図。
【図１０】Ａ／Ｄ変換回路の構成例を示す図。
【図１１】第３実施形態の発振器の構成を示す図。
【図１２】第３実施形態におけるデータ変換回路の入出力特性の一例を示す図。
【図１３】第３実施形態におけるＤ／Ａ変換回路の入出力特性の一例を示す図。
【図１４】変形例の発振器における制御用ＩＣの構成例を示す図。
【図１５】変形例の発振器における制御用ＩＣの他の構成例を示す図。
【図１６】本実施形態の電子機器の構成の一例を示す機能ブロック図。
【図１７】本実施形態の移動体の一例を示す図。
【発明を実施するための形態】
【００２４】
以下、本発明の好適な実施形態について図面を用いて詳細に説明する。なお、以下に説明する実施の形態は、特許請求の範囲に記載された本発明の内容を不当に限定するものではない。また以下で説明される構成の全てが本発明の必須構成要件であるとは限らない。
【００２５】
１．発振器
１−１．第１実施形態
図１は、本実施形態の発振器の斜視図である。また、図２は、第１実施形態の発振器の構成を示す図である。第１実施形態の発振器１は、外部端子から入力されるデジタル信号によって発振周波数が制御可能なデジタル制御発振器であり、図１及び図２に示すように、制御用集積回路（ＩＣ：Integrated Circuit）２、発振用集積回路（ＩＣ）３、水晶振動子４、並びに、制御用ＩＣ２、発振用ＩＣ３及び水晶振動子４が搭載されているパッケージ（容器）１０を含んで構成されている。
【００２６】
制御用ＩＣ２は、その電源端子に発振器１の電源端子ＶＤＤから電源電位ＶＤＤが供給され、そのグラウンド端子にグラウンド端子ＧＮＤから接地電位ＶＳＳが供給されて動作する。同様に、発振用ＩＣ３は、その電源端子に発振器１の電源端子ＶＤＤから電源電位ＶＤＤが供給され、そのグラウンド端子にグラウンド端子ＧＮＤから接地電位ＶＳＳが供給されて動作する。
【００２７】
制御用ＩＣ２は、図２に示すように、レギュレーター回路２１、レギュレーター回路２２、シリアルインターフェース回路２３、デジタル演算回路２４及びＤ／Ａ変換回路（ＤＡＣ：Digital to Analog Converter）２５を含んで構成されている。
【００２８】
レギュレーター回路２１は、電源電位ＶＤＤから一定の電圧を生成し、シリアルインターフェース回路２３及びデジタル演算回路２４に供給する電圧レギュレーターである。
【００２９】
レギュレーター回路２２は、電源電位ＶＤＤから一定の電圧を生成し、Ｄ／Ａ変換回路２５の電源ノードに供給する電圧レギュレーター、又は、電源電位ＶＤＤから一定の電流を生成し、Ｄ／Ａ変換回路２５の電源ノードに供給する電流レギュレーターである。
【００３０】
シリアルインターフェース回路２３は、発振器１の３つの外部端子ＣＳＸ，ＳＣＫ，ＤＡＩＮからそれぞれ入力されるチップセレクト信号、シリアルデータ信号及びクロック信号を制御用ＩＣ２の３つの端子を介して受け取り、チップセレクト信号がアクティブの時にクロック信号に同期してシリアルデータ信号を取得し、デジタル演算回路２４に出力する。シリアルインターフェース回路２３は、例えば、ＳＰＩ（Serial Peripheral Interface）バス対応のインターフェース回路であってもよい。なお、本実施形態では、シリアルインターフェース回路２３は、３線式のインターフェース回路であるが、これに限られず、例えば、Ｉ２Ｃ（Inter-Integrated Circuit）バス対応の２線式のインターフェース回路であってもよい。
【００３１】
デジタル演算回路２４は、シリアルインターフェース回路２３が出力するシリアルデータ信号をＮビットのデータ信号に変換して出力する。
【００３２】
Ｄ／Ａ変換回路２５は、デジタル演算回路２４が出力するＮビットのデータ信号をアナログ信号に変換することにより、発振用ＩＣ３を制御するための制御信号を生成し、制御用ＩＣ２の端子から出力する。なお、Ｄ／Ａ変換回路２５の出力端子と発振用ＩＣ３の制御端子（制御信号の入力端子）とを、抵抗やコンデンサー等の受動素子（パッシブ素子）を介して接続してもよい。
【００３３】
発振用ＩＣ３は、水晶振動子４と接続されており、制御用ＩＣ２が出力する制御信号に応じた周波数で水晶振動子４を共振させ、発振信号を出力する。この発振信号は、発振器１の２つの外部端子ＯＵＴ，ＯＵＴＸを介して差動の発振信号として発振器１の外部に出力される。また、発振用ＩＣ３は、制御用ＩＣ２による制御に基づき、水晶振動子４の共振周波数を制御する。なお、水晶振動子４は、共振器の一例であり、水晶振動子４に代えて他の共振器を用いてもよい。共振器は、電気的な共振回路でもよいし、電気機械的な共振子等であってもよい。共振器は、例えば、振動子であってもよい。振動子は、例えば、圧電振動子、ＳＡＷ（Surface Acoustic Wave）共振子、ＭＥＭＳ（Micro Electro Mechanical Systems）振動子等であってもよい。また、振動子の基板材料としては、水晶、タンタル酸リチウム、ニオブ酸リチウム等の圧電単結晶や、ジルコン酸チタン酸鉛等の圧電セラミックス等の圧電材料、又はシリコン半導体材料等を用いることができる。振動子の励振手段としては、圧電効果によるものを用いてもよいし、クーロン力による静電駆動を用いてもよい。また、共振器は、アルカリ金属等を内部に収容したガスセルとアルカリ金属等の原子と相互作用する光を用いた光共振器、マイクロ波領域で共振する空洞型共振器や誘電体共振器、ＬＣ共振器等であってもよい。
【００３４】
なお、発振器１の外部電源端子対（図２では、電源電位ＶＤＤが供給される電源端子ＶＤＤと接地電位ＶＳＳが供給されるグラウンド端子ＧＮＤの対）は、１つのみであってもよい。このようにすれば、発振器１を小型化することができるとともに、発振器１に１系統の電源電圧のみを供給すれば発振信号を出力させることができるので、この発振器１をシステムのクロック源として利用することができる。ただし、本実施形態の発振器１は、２系統以上の外部電源端子対（例えば、制御用ＩＣ２用の電源端子対と発振用ＩＣ３用の電源端子対）を備えていてもよい。
【００３５】
図２に示すように、発振用ＩＣ３は、レギュレーター回路３１、増幅回路３２及び出力回路３３を含んで構成されている。
【００３６】
レギュレーター回路３１は、電源電位ＶＤＤから一定の電流を生成し、増幅回路３２の電源ノードに供給する電流レギュレーター、又は、電源電位ＶＤＤから一定の電圧を生成し、増幅回路３２の電源ノードに供給する電圧レギュレーターである。
【００３７】
増幅回路３２は、例えば、レギュレーター回路３１から供給される電流により動作するバイポーラ―トランジスターによって、水晶振動子４から出力される信号を増幅し、増幅した信号を水晶振動子４に帰還させることで水晶振動子４を共振させる。あるいは、増幅回路３２は、レギュレーター回路３１から供給される電圧により動作するＣＭＯＳインバーター素子によって水晶振動子４から出力される信号を増幅し、増幅した信号を水晶振動子４に帰還させることで水晶振動子４を共振させてもよい。
【００３８】
増幅回路３２は、水晶振動子４の負荷容量として機能する不図示の可変容量素子（例えば、可変容量ダイオードやＭＯＳ容量など）を有しており、この可変容量素子には、発振用ＩＣ３の端子（制御端子）を介して、制御用ＩＣ２が出力する制御信号の電圧（制御電圧）が印加され、その容量値は制御電圧によって制御される。そして、水晶振動子４の発振周波数は、可変容量素子の容量値に応じて変化する。
【００３９】
なお、増幅回路３２と水晶振動子４により、例えば、ピアース発振回路、インバーター型発振回路、コルピッツ発振回路、ハートレー発振回路などの種々の発振回路が構成されてもよい。
【００４０】
出力回路３３は、例えば、増幅回路３２が増幅した信号（水晶振動子４の入力信号）をバッファリングあるいはレベルシフトして発振信号を生成し、出力する。出力回路３３は、例えば、ＬＶＰＥＣＬ（Low-Voltage Positive-referenced Emitter Coupled Logic）、ＬＶＤＳ（Low-Voltage Differential Signals）、ＨＣＳＬ（High-speed Current Steering Logic）等の規格のいずれかに対応した差動の発振信号を生成する。そして、出力回路３３は、外部端子ＯＥがＨ（ハイ）レベルの時は発振用ＩＣ３の２つの端子から発振信号を出力し、外部端子ＯＥがＬ（ロー）レベルの時は発振信号の出力を停止する。発振用ＩＣ３から出力された差動の発振信号は、発振器１の２つの外部端子ＯＵＴ，ＯＵＴＸから外部に出力される。なお、出力回路３３は、ＣＭＯＳレベルの発振信号などのシングルエンドの発振信号を生成し、外部端子ＯＵＴから外部に出力してもよい。この場合、外部端子ＯＵＴＸは不要である。
【００４１】
増幅回路３２、あるいは、増幅回路３２と出力回路３３は、水晶振動子４を共振させるための発振用回路として機能する。
【００４２】
発振用ＩＣ３と水晶振動子４によって構成される発振回路は、制御用ＩＣ２が出力する制御信号の電圧（制御電圧）（可変容量素子の端子間電圧）に応じた周波数の発振信号を出力する電圧制御水晶発振回路として機能する。図３に、可変容量素子として可変容量ダイオードを用いた場合の制御電圧（可変容量ダイオードの端子間電圧）と発振周波数（発振信号の周波数）との関係（制御電圧−発振周波数特性）の一例を示す。図３において、横軸は制御電圧であり、縦軸は発振周波数である。図３に示すように、制御電圧がＶ１からＶ２まで変化する間に発振周波数はｆ１からｆ２まで非線形に変化する。具体的には、制御電圧がＶ１からＶ３までは発振周波数の傾き（変化率）が単調に増加し、制御電圧がＶ３からＶ２までは発振周波数の傾き（変化率）が単調に減少している。このような制御電圧−発振周波数特性の非線形性は、主に、可変容量ダイオードの端子間電圧と容量値との関係が非線形であることに起因する。
【００４３】
一般に、発振器の規格によって発振周波数の線形性が規定されているため（例えば５ｐｐｍ／Ｖ程度）、発振回路の制御電圧−発振周波数特性が非線形の場合、制御電圧の全範囲（例えば図３のＶ１〜Ｖ２の範囲）を使用することができず、従来は、線形性のよい一部の範囲（例えば図３のＶ１’〜Ｖ２’の範囲）のみを使用することしかできず、発振周波数の可変範囲が制限されていた。
【００４４】
そこで、本実施形態では、発振周波数の可変範囲を広げるために、Ｄ／Ａ変換回路２５の入出力特性が、発振回路の制御電圧−発振周波数特性の非線形性を相殺する方向の非線形性を有するように調整されている。図４に、Ｄ／Ａ変換回路２５の入出力特性の一例を示す。図４において、横軸はＤ／Ａ変換回路２５の入力コード（Ｎビットのデータ信号の値）であり、縦軸はＤ／Ａ変換回路２５の出力電圧（制御電圧）である。図４に示すように、入力コードが００・・・０から１１・・・１まで変化する間に出力電圧はＶ１からＶ２まで非線形に変化する。具体的には、入力コードが００・・・０から０１・・・１までは出力電圧の傾き（変化率）が単調に減少し、入力コードが０１・・・１から１１・・・１までは出力電圧の傾き（変化率）が単調に増加している。
【００４５】
従って、Ｄ／Ａ変換回路２５の入出力特性の非線形性と発振回路の制御電圧−発振周波数特性の非線形性が互いに相殺し合い、発振器１の入出力特性は線形に近づく。発振回路が図３に示される制御電圧−発振周波数特性を有し、かつ、Ｄ／Ａ変換回路２５が図４に示す入出力特性を有する場合の発振器１の入出力特性を図５に示す。図５において、横軸は入力コード（Ｎビットのデータ信号の値）であり、縦軸は発振周波数である。図５に示すように、入力コードが００・・・０から１１・・・１まで変化する間に発振周波数はＶ１からＶ２までほぼ線形に変化する。このように、発振器１は、入力コードの全範囲に対応して制御電圧の全範囲（例えば図３のＶ１〜Ｖ２の範囲）を使用することができるため、従来よりも発振周波数の可変範囲を広げることができる。
【００４６】
図６は、入出力特性が非線形性を有するＤ／Ａ変換回路２５の構成例を示す図である。図６のＤ／Ａ変換回路２５は、ｎ（＝２Ｎ）−１個の抵抗Ｒ１〜Ｒｎ−１、ｎ個のスイッチＳＷ１〜ＳＷｎ、スイッチ制御回路１０１及び演算増幅器１０２を含んで構成されている。
【００４７】
ｎ−１個の抵抗Ｒ１〜Ｒｎ−１は、高電位側の基準電圧Ｖｒｅｆ＋の供給線（電源ノード）と低電位側の基準電圧Ｖｒｅｆ−の供給線（例えば、グランド線）との間に直列に接続されている。例えば、基準電圧Ｖｒｅｆは、レギュレーター回路２２が供給する一定の電圧であり、基準電圧Ｖｒｅｆ−はグランド電圧（０Ｖ）である。
【００４８】
各抵抗Ｒｋ（ｋ＝１〜ｎ−１）の両端は、それぞれスイッチＳＷｋの一端とスイッチＳＷｋ＋１の一端に接続され、スイッチＳＷｋの他端とスイッチＳＷｋ＋１の他端が接続されている。
【００４９】
スイッチＳＷｌ（ｌ＝１，３，・・・，ｎ−１）の他端とスイッチＳＷｌ＋１の他端との接続ノードｎｄｌは、それぞれ少なくとも１つのスイッチ（不図示）を介して、演算増幅器１０２の非反転入力端子（＋端子）と接続される。
【００５０】
演算増幅器１０２は、その出力端子と反転入力端子（−端子）が接続されており、非反転入力端子（＋端子）の電圧を出力端子に伝搬させるボルテージフォロワーとして機能する。
【００５１】
スイッチ制御回路１０１は、Ｎビットのデジタルコードが入力され、当該Ｎビットのデ
ジタルコードの値に応じて、スイッチＳＷｌ（ｌ＝１，３，・・・，ｎ−１）を同時にオン状態にするとともにスイッチＳＷｌ＋１を同時にオフ状態にし、あるいは、スイッチＳＷｌを同時にオフ状態にするとともにスイッチＳＷｌ＋１を同時にオン状態にするように制御する。これにより、各ノードｎｄｌ（ｌ＝１，３，・・・，ｎ−１）は、抵抗Ｒｌの高電位側の端子と低電位側の端子のいずれか一方と電気的に接続される。また、スイッチ制御回路１０１は、ノードｎｄｌのうちのいずれか１つのノードのみが演算増幅器１０２の非反転入力端子（＋端子）と電気的に接続されるように、不図示のスイッチ群を制御する。すなわち、スイッチ制御回路１０１は、基準電圧Ｖｒｅｆ＋と基準電圧Ｖｒｅｆ−の間を抵抗Ｒ１〜Ｒｎ−１で分圧したｎ（＝２Ｎ）種類の電圧のうちのいずれか１つの電圧を選択して演算増幅器１０２の非反転入力端子（＋端子）に出力させる。
【００５２】
スイッチＳＷｍ（ｍ＝１〜ｎ）は、ＭＯＳトランジスターであってもよく、この場合、各ＭＯＳトランジスターのソース電極及びドレイン電極の一方が抵抗Ｒｋ（ｋ＝１〜ｎ−１）のいずれかと接続され、他方がノードｎｄｌ（ｌ＝１，３，・・・，ｎ−１）のいずれかと接続される。また、各ＭＯＳトランジスターのゲート電極には、スイッチ制御回路１０１からの制御信号が供給される。
【００５３】
このように構成された本実施形態のＤ／Ａ変換回路１００は、抵抗分圧型（電圧分配型、抵抗ストリング型、あるいは電圧ポテンショメータ型とも呼ばれる）のＤ／Ａ変換回路であり、入力されたＮビットのデジタルコードの値に応じた２Ｎ種類の電圧を出力する。
【００５４】
なお、各ノードｎｄｌ（ｌ＝１，３，・・・，ｎ−１）が、演算増幅器１０２の非反転入力端子（＋端子）に直接接続され、スイッチ制御回路１０１が、Ｎビットのデジタルコードの値に応じて、スイッチＳＷｍ（ｍ＝１〜ｎ）のうちのいずれか１つのスイッチをオン状態にするとともに他のすべてのスイッチをオフ状態にするように制御してもよい。
【００５５】
このＤ／Ａ変換回路１００では、ｎ−１個の抵抗Ｒ１〜Ｒｎ−１のうちの少なくとも２つの抵抗値を異ならせることで、入力されるデジタルコードに対して出力電圧が非線形となる。ｎ−１個の抵抗Ｒ１〜Ｒｎ−１の各抵抗値を適宜選択することで、種々の非線形の入出力特性を有するＤ／Ａ変換回路２５を実現することができる。例えば、図４に示した入出力特性を有するＤ／Ａ変換回路２５は、抵抗Ｒ１の抵抗値＞抵抗Ｒ２の抵抗値＞・・・抵抗Ｒｎ／２−１の抵抗値＞抵抗Ｒｎ／２の抵抗値＜抵抗Ｒｎ／２＋１の抵抗値＜・・・＜抵抗Ｒｎ−２の抵抗値＜抵抗Ｒｎ−１の抵抗値の関係を満たす。すなわち、抵抗Ｒ１から抵抗Ｒｎ／２までは抵抗値が単調減少し、抵抗Ｒｎ／２からＲｎ−１までは抵抗値が単調増加するように、ｎ−１個の抵抗Ｒ１〜Ｒｎ−１の各抵抗値を適宜選択すれば、図４に示した入出力特性を有するＤ／Ａ変換回路２５を実現することができる。
【００５６】
以上に説明したように、制御用ＩＣ２は、デジタル信号であるＮビットのデータ信号（制御信号の一例）に基づいて可変容量素子に印加する電圧を生成する電圧生成手段として機能する。そして、Ｄ／Ａ変換回路２５が、Ｎビットのデータ信号の変化に対して、非線形に変化する電圧を出力することにより、第１実施形態の発振器１では、Ｎビットのデータ信号の変化に対して可変容量素子に印加する電圧（Ｄ／Ａ変換回路２５の出力電圧）が非線形に変化する。これにより、Ｎビットのデータ信号の変化に対する発振周波数の変化が線形に近づくように補正されるので、可変容量素子の容量変化が非線形の領域も利用することができ、従来よりも発振周波数の可変範囲を広げることができる。また、発振周波数の可変範囲を従来通りとした場合は、制御電圧を雑音に対して相対的に大きくすることができるので、従来よりもＣ／Ｎ比（Carrier to Noise Ratio）を向上させることができる。
【００５７】
１−２．第２実施形態
第２実施形態の発振器は、制御用ＩＣ２の構成が第１実施形態の発振器と異なる。第２実施形態の発振器において、第１実施形態と同様の構成要素には同じ符号を付し、以下では、重複する説明については省略し、第１実施形態との相違点を中心に説明する。
【００５８】
図７は、第２実施形態の発振器の構成を示す図である。図７に示すように、第２実施形態の発振器１において、制御用ＩＣ２は、レギュレーター回路２１、レギュレーター回路２２、Ｄ／Ａ変換回路２５及びＡ／Ｄ変換回路（ＡＤＣ： Analog to Digital Converter）２６を含んで構成されている。
【００５９】
レギュレーター回路２１は、電源電位ＶＤＤから一定の電圧を生成し、Ａ／Ｄ変換回路２６に供給する。
【００６０】
レギュレーター回路２２は、電源電位ＶＤＤから一定の電圧を生成し、Ｄ／Ａ変換回路２５の電源ノードに供給する。
【００６１】
Ａ／Ｄ変換回路２６は、発振器１の外部端子ＶＣから入力される周波数制御信号の電圧（外部制御電圧）をＮビットのデジタル信号に変換して出力する。Ａ／Ｄ変換回路２６としては、よく知られている、並列比較型、逐次比較型、デルタ・シグマ型、二重積分型などの種々のタイプのものを用いることができる。
【００６２】
Ｄ／Ａ変換回路２５は、Ａ／Ｄ変換回路２６が出力するＮビットのデジタル信号をアナログ信号に変換することにより、発振用ＩＣ３を制御するための制御信号を生成し、制御用ＩＣ２の端子から出力する。なお、Ｄ／Ａ変換回路２５の出力端子と発振用ＩＣ３の制御端子（制御信号の入力端子）とを、抵抗やコンデンサー等の受動素子（パッシブ素子）を介して接続してもよい。
【００６３】
発振用ＩＣ３と水晶振動子４によって構成される発振回路は、その構成が第１実施形態（図２）と同様であり、制御電圧−発振周波数特性は、第１実施形態と同様に、例えば図３に示したような非線形性を有する。本実施形態では、発振周波数の可変範囲を広げるために、Ａ／Ｄ変換回路２６及びＤ／Ａ変換回路２５から成る回路の入出力特性が、発振回路の制御電圧−発振周波数特性の非線形性を相殺する方向の非線形性を有するように調整されている。図８に、Ａ／Ｄ変換回路２６及びＤ／Ａ変換回路２５から成る回路の入出力特性の一例を示す。図８において、横軸はＡ／Ｄ変換回路２６の入力電圧（周波数制御信号の電圧）であり、縦軸はＤ／Ａ変換回路２５の出力電圧（制御電圧）である。図８に示すように、Ａ／Ｄ変換回路２６の入力電圧がｖ１からｖ２まで変化する間にＤ／Ａ変換回路２５の出力電圧はＶ１からＶ２まで非線形に変化する。具体的には、Ａ／Ｄ変換回路２６の入力電圧がｖ１からｖ３まではＤ／Ａ変換回路２５の出力電圧の傾き（変化率）が単調に減少し、Ａ／Ｄ変換回路２６の入力電圧がｖ３からｖ２まではＤ／Ａ変換回路２５の出力電圧の傾き（変化率）が単調に増加している。
【００６４】
従って、Ａ／Ｄ変換回路２６及びＤ／Ａ変換回路２５から成る回路の入出力特性の非線形性と発振回路の制御電圧−発振周波数特性の非線形性が互いに相殺し合い、発振器１の入出力特性は線形に近づく。発振回路が図３に示される制御電圧−発振周波数特性を有し、かつ、Ａ／Ｄ変換回路２６及びＤ／Ａ変換回路２５から成る回路が図８に示す入出力特性を有する場合の発振器１の入出力特性を図９に示す。図９において、横軸は入力電圧（周波数制御信号の電圧）であり、縦軸は発振周波数である。図９に示すように、入力電圧がｖ１からｖ２まで変化する間に発振周波数はＶ１からＶ２までほぼ線形に変化する。このように、発振器１は、入力電圧の全範囲に対応して制御電圧の全範囲（例えば図３のＶ１〜Ｖ２の範囲）を使用することができるため、従来よりも発振周波数の可変範囲を広げることができる。
【００６５】
例えば、Ａ／Ｄ変換回路２６の入出力特性は非線形であり、かつ、Ｄ／Ａ変換回路２５の入出力特性は線形であってもよい。また、例えば、Ａ／Ｄ変換回路２６の入出力特性は線形であり、かつ、Ｄ／Ａ変換回路２５の入出力特性は非線形であってもよい。また、例えば、Ａ／Ｄ変換回路２６の入出力特性は非線形であり、かつ、Ｄ／Ａ変換回路２５の入出力特性も非線形であってもよい。いずれの場合も、Ａ／Ｄ変換回路２６及びＤ／Ａ変換回路２５から成る、入出力特性が非線形性を有する回路を実現することができる。入出力特性が非線形性を有するＤ／Ａ変換回路２５は、例えば図６に示した構成例により実現することができる。
【００６６】
図１０は、入出力特性が非線形性を有するＡ／Ｄ変換回路２６の構成例を示す図である。図１０のＡ／Ｄ変換回路２６は、コンパレータ―２０１、加算器２０２、レジスター２０３及びＤ／Ａ変換回路２０４を含んで構成されている。
【００６７】
コンパレータ―２０１は、入力信号（周波数制御信号）に電圧ＶｉｎとＤ／Ａ変換回路２０４の出力電圧とを比較し、Ｖｉｎの方が高い場合にはローレベルの電圧を出力し、Ｄ／Ａ変換回路２０４の出力電圧の方が高い場合にはハイレベルの電圧を出力する。
【００６８】
加算器２０２は、レジスター２０３に記憶されているＮビットのデータに、コンパレータ―２０１の出力電圧がローレベルの時は０を、ハイレベルの時は１をそれぞれ加算し、加算結果のＮビットのデータを出力する。この加算器２０２の出力データがＡ／Ｄ変換回路２６の出力データＤｏｕｔとなる。
【００６９】
レジスター２０３は、Ａ／Ｄ変換の開始時に、記憶しているデータを０に初期化し、その後は、不図示のクロック信号に同期して加算器２０２の出力データを記憶する。
【００７０】
Ｄ／Ａ変換回路２０４は、レジスター２０３に記憶されているＮビットのデータをアナログ電圧に変換して出力する。このＤ／Ａ変換回路２０４は、例えば、図６に示したような構成により、入出力特性が非線形性を有している。
【００７１】
このように構成されたＡ／Ｄ変換回路２６は、Ｄ／Ａ変換回路２０４の入出力特性に応じた非線形の入出力特性を有する。
【００７２】
以上に説明したように、制御用ＩＣ２は、アナログ信号である周波数制御信号（制御信号の一例）に基づいて可変容量素子に印加する電圧を生成する電圧生成手段として機能する。そして、周波数制御信号の変化に対して、Ａ／Ｄ変換回路２６が、周波数制御信号を、当該周波数制御信号の変化に対して非線形に変化するデジタル信号であるＮビットのデータ信号に変換し、あるいは、Ｄ／Ａ変換回路２５が、Ａ／Ｄ変換回路２６が変換したＮビットのデータ信号を、当該Ｎビットのデータ信号の変化に対して非線形に変化する電圧に変換する。これにより、第２実施形態の発振器１では、可変容量素子に印加する電圧（Ｄ／Ａ変換回路２５の出力電圧）が非線形に変化し、周波数制御信号の変化に対する発振周波数の変化が線形に近づくように補正されるので、可変容量素子の容量変化が非線形の領域も利用することができ、従来よりも発振周波数の可変範囲を広げることができる。また、発振周波数の可変範囲を従来通りとした場合は、制御電圧を雑音に対して相対的に大きくすることができるので、従来よりもＣ／Ｎ比を向上させることができる。
【００７３】
１−３．第３実施形態
第３実施形態の発振器は、制御用ＩＣ２の構成が第１実施形態の発振器及び第２実施形態の発振器と異なる。第３実施形態の発振器において、第１実施形態及び第２実施形態と同様の構成要素には同じ符号を付し、以下では、重複する説明については省略し、第１実
施形態及び第２実施形態との相違点を中心に説明する。
【００７４】
図１１は、第３実施形態の発振器の構成を示す図である。図１１に示すように、第３実施形態の発振器１において、制御用ＩＣ２は、レギュレーター回路２１、レギュレーター回路２２、シリアルインターフェース回路２３、Ｄ／Ａ変換回路２５及びデータ変換回路２７を含んで構成されている。
【００７５】
レギュレーター回路２１は、電源電位ＶＤＤから一定の電圧を生成し、シリアルインターフェース回路２３及びデータ変換回路２７に供給する。
【００７６】
レギュレーター回路２２は、電源電位ＶＤＤから一定の電圧を生成し、Ｄ／Ａ変換回路２５の電源ノードに供給する。
【００７７】
シリアルインターフェース回路２３は、発振器１の３つの外部端子ＣＳＸ，ＳＣＫ，ＤＡＩＮからそれぞれ入力されるチップセレクト信号、シリアルデータ信号及びクロック信号を制御用ＩＣ２の３つの端子を介して受け取り、チップセレクト信号がアクティブの時にクロック信号に同期してＭビットのシリアルデータ信号を取得し、デジタル演算回路２４に出力する。
【００７８】
データ変換回路２７（信号変換手段の一例）は、ルックアップテーブル２８を用いて、シリアルインターフェース回路２３が出力するＭビットのシリアルデータ信号を、当該Ｍビットのシリアルデータ信号の変化に対して非線形に変化するＮビットのデータに変換してＤ／Ａ変換回路２５に出力する。
【００７９】
Ｄ／Ａ変換回路２５は、データ変換回路２７が出力するＮビットのデジタル信号をアナログ信号に変換することにより、発振用ＩＣ３を制御するための制御信号を生成し、制御用ＩＣ２の端子から出力する。なお、Ｄ／Ａ変換回路２５の出力端子と発振用ＩＣ３の制御端子（制御信号の入力端子）とを、抵抗やコンデンサー等の受動素子（パッシブ素子）を介して接続してもよい。
【００８０】
発振用ＩＣ３と水晶振動子４によって構成される発振回路は、その構成が第１実施形態（図２）と同様であり、制御電圧−発振周波数特性は、第１実施形態と同様に、例えば図３に示したような非線形性を有する。本実施形態では、発振周波数の可変範囲を広げるために、データ変換回路の入出力特性が、発振回路の制御電圧−発振周波数特性の非線形性を相殺する方向の非線形性を有するように調整されており、Ｄ／Ａ変換回路２５は、入力信号（Ｎビットのデータ信号）に対して出力電圧が線形的に変化する。
【００８１】
図１２に、データ変換回路２７の入出力特性の一例を示す。図１２において、横軸はデータ変換回路２７の入力コード（Ｍビットのシリアルデータ信号の値）であり、縦軸はデータ変換回路２７の出力コード（Ｎビットのデータ信号の値）である。図１２に示すように、データ変換回路２７は、入力コードが００・・・０から１１・・・１まで変化する間に出力コードが００・・・０から１１・・・１まで非線形に変化する。具体的には、入力コードが００・・・０から０１・・・１までは出力コードの傾き（変化率）が単調に減少し、入力コードが０１・・・１から１１・・・１までは出力コードの傾き（変化率）が単調に増加している。例えば、図１２に示すような入力データの値と出力データの値との対応関係をルックアップテーブル２８に記憶させておき、入力コードに対してルックアップテーブル２８に記憶されている出力コードを出力することで、非線形の入出力特性を有するデータ変換回路２７を実現することができる。
【００８２】
図１３に、Ｄ／Ａ変換回路２５の入出力特性の一例を示す。図１３において、横軸はＤ
／Ａ変換回路２５の入力コード（Ｎビットのデータ信号の値）であり、縦軸はＤ／Ａ変換回路２５の出力電圧（制御電圧）である。図１３に示すように、Ｄ／Ａ変換回路２５は、入力コードが００・・・０から１１・・・１まで変化する間に出力電圧がＶ１からＶ２までほぼ線形に変化する。入出力特性が線形のＤ／Ａ変換回路２５は、例えば図６に示した構成例においてｎ−１個の抵抗Ｒ１〜抵抗Ｒｎ−１を同じ抵抗値にすることで実現することができる。
【００８３】
本実施形態では、データ変換回路２７の入出力特性の非線形性と発振回路の制御電圧−発振周波数特性の非線形性が互いに相殺し合い、発振器１の入出力特性は線形に近づく。発振回路が図３に示される制御電圧−発振周波数特性を有し、かつ、データ変換回路２７が図１２に示す入出力特性を有し、かつ、Ｄ／Ａ変換回路２５が図１３に示す入出力特性を有する場合の発振器１の入出力特性は、図５と同様になる。すなわち、Ｍビットの入力コードが００・・・０から１１・・・１まで変化する間に発振周波数はＶ１からＶ２までほぼ線形に変化する。このように、発振器１は、入力コードの全範囲に対応して制御電圧の全範囲（例えば図３のＶ１〜Ｖ２の範囲）を使用することができるため、従来よりも発振周波数の可変範囲を広げることができる。なお、Ｎ＝Ｍとすれば、Ｄ／Ａ変換回路２５のサイズの増加を抑制できるが、発振周波数の分解能が低くなる。一方、Ｎ＞Ｍとすれば、Ｄ／Ａ変換回路２５のサイズが増加するが、発振周波数の分解能を向上させることができる。
【００８４】
以上に説明したように、制御用ＩＣ２は、デジタル信号であるＭビットのデータ信号（制御信号の一例）に基づいて可変容量素子に印加する電圧を生成する電圧生成手段として機能する。そして、データ変換回路２７が、Ｍビットのデータ信号を、Ｍビットのデータ信号の変化に対して非線形に変化するデジタル信号であるＮビットのデータ信号に変換してＤ／Ａ変換回路２５に出力することにより、第３実施形態の発振器１では、可変容量素子に印加する電圧（Ｄ／Ａ変換回路２５の出力電圧）が非線形に変化する。これにより、Ｍビットのデータ信号の変化に対する発振周波数の変化が線形に近づくように補正されるので、可変容量素子の容量変化が非線形の領域も利用することができ、従来よりも発振周波数の可変範囲を広げることができる。また、発振周波数の可変範囲を従来通りとした場合は、制御電圧を雑音に対して相対的に大きくすることができるので、従来よりもＣ／Ｎ比を向上させることができる。
【００８５】
１−４．変形例
第１実施形態〜第３実施形態の発振器１は、種々の変形実施が可能である。
【００８６】
１−４−１．第１変形例
例えば、上記の各実施形態の発振器１では、制御用ＩＣ２と発振用ＩＣ３の２チップのＩＣと水晶振動子４で構成しているが、制御用ＩＣ２と発振用ＩＣ３の機能を有する１チップのＩＣと水晶振動子４で構成してもよい。あるいは、３チップ以上のＩＣと水晶振動子４で構成してもよい。
【００８７】
１−４−２．第２変形例
また、第１実施形態〜第３実施形態の発振器１は、いずれも外部制御信号に応じて発振周波数が変化する発振器（デジタル制御型の発振器あるいは電圧制御発振器）であるが、温度補償機能を有する発振器に変形してもよい。一例として、第１実施形態の発振器１を変形した温度補償機能を有する発振器１における制御用ＩＣ２の構成例を図１４に示す。なお、本変形例の発振器１における発振用ＩＣ３は、図２と同様の構成であってもよい。図１４に示すように、本変形例の発振器１において、制御用ＩＣ２は、レギュレーター回路２１、レギュレーター回路２２、デジタル演算回路２４、Ｄ／Ａ変換回路２５、Ａ／Ｄ変換回路２６及び温度センサー２９及びを含んで構成されている。
【００８８】
温度センサー２９は、その周辺の温度に応じた信号（例えば、温度に応じた電圧）を出力する感温素子であり、例えば、その出力とグランドとの間に、１又は複数のダイオードが順方向に直列に接続された構成などで実現される。
【００８９】
Ａ／Ｄ変換回路２６は、温度センサー２９の出力信号をデジタル信号に変換して出力する。
【００９０】
デジタル演算回路２４は、Ａ／Ｄ変換回路２６の出力信号を用いて水晶振動子４の周波数温度特性を補正するための温度補償電圧のデジタル値を計算してＮビットのデータ信号を生成し、出力する。
【００９１】
Ｄ／Ａ変換回路２５は、このＮビットのデータ信号をアナログ信号に変換することにより、発振用ＩＣ３を制御するための制御信号を生成し、制御用ＩＣ２の端子から出力する。
【００９２】
このＡ／Ｄ変換回路２６及びＤ／Ａ変換回路２５の少なくとも一方は、入出力特性が非線形であり、可変容量素子に印加する電圧（Ｄ／Ａ変換回路２５の出力電圧）が非線形に変化し、周波数制御信号の変化に対する発振周波数の変化が線形に近づくように補正される。
【００９３】
このように構成された本変形例の発振器１は、温度センサー２９から出力される信号に基づくデジタル信号によって発振用ＩＣ３（電圧制御発振回路）の周波数を調整することにより、温度によらず発振周波数をほぼ一定に保持することができる温度補償型発振器である。
【００９４】
また、本変形例の発振器１は、図１４の制御用ＩＣ２を図１５の構成に置き換えた構成としてもよい。図１５において、図１４と同様の構成要素には同じ符号を付しており、重複する説明を省略する。図１５に示す変形例の発振器１では、制御用ＩＣ２は、レギュレーター回路２１、レギュレーター回路２２、シリアルインターフェース回路２３、デジタル演算回路２４、Ｄ／Ａ変換回路２５、Ａ／Ｄ変換回路２６及び温度センサー２９を含んで構成されている。
【００９５】
デジタル演算回路２４は、Ａ／Ｄ変換回路２６の出力信号を用いて水晶振動子４の周波数温度特性を補正するための温度補償電圧のデジタル値を計算し、シリアルインターフェース回路２３が出力するシリアルデータ信号をＮビットのデジタル値に変換し、当該デジタル値を温度補償電圧のデジタル値と加算してＮビットのデータ信号を生成し、出力する。
【００９６】
Ｄ／Ａ変換回路２５は、このＮビットのデータ信号をアナログ信号に変換することにより、発振用ＩＣ３を制御するための制御信号を生成し、制御用ＩＣ２の端子から出力する。
【００９７】
このＡ／Ｄ変換回路２６及びＤ／Ａ変換回路２５の少なくとも一方は、入出力特性が非線形であり、可変容量素子に印加する電圧（Ｄ／Ａ変換回路２５の出力電圧）が非線形に変化し、周波数制御信号の変化に対する発振周波数の変化が線形に近づくように補正される。
【００９８】
このように構成された本変形例の発振器１は、温度センサー２９から出力される信号に基づくデジタル信号と外部端子から入力されるデジタル信号とによって発振用ＩＣ３（電
圧制御発振回路）の周波数を調整することにより、温度によらず発振周波数をほぼ一定に保持するとともに、外部端子から入力される制御信号によって発振周波数が制御可能な温度補償型発振器である。
【００９９】
２．電子機器
図１５は、本実施形態の電子機器の構成の一例を示す機能ブロック図である。本実施形態の電子機器３００は、発振器３１０、ＣＰＵ（Central Processing Unit）３２０、操作部３３０、ＲＯＭ（Read Only Memory）３４０、ＲＡＭ（Random Access Memory）３５０、通信部３６０、表示部３７０を含んで構成されている。なお、本実施形態の電子機器は、図１６の構成要素（各部）の一部を省略又は変更し、あるいは、他の構成要素を付加した構成としてもよい。
【０１００】
発振器３１０は、例えば、共振器（不図示）と、共振器を共振させる発振用回路（不図示）と、発振用回路を制御するための制御用回路（不図示）とを内蔵しており、共振器の共振による発振信号を出力する。この発振信号は発振器３１０からＣＰＵ３２０に出力される。
【０１０１】
ＣＰＵ３２０は、ＲＯＭ３４０等に記憶されているプログラムに従い、発振器３１０から入力される発振信号をクロック信号として各種の計算処理や制御処理を行う。具体的には、ＣＰＵ３２０は、操作部３３０からの操作信号に応じた各種の処理、外部装置とデータ通信を行うために通信部３６０を制御する処理、表示部３７０に各種の情報を表示させるための表示信号を送信する処理等を行う。
【０１０２】
操作部３３０は、操作キーやボタンスイッチ等により構成される入力装置であり、ユーザーによる操作に応じた操作信号をＣＰＵ３２０に出力する。
【０１０３】
ＲＯＭ３４０は、ＣＰＵ３２０が各種の計算処理や制御処理を行うためのプログラムやデータ等を記憶している。
【０１０４】
ＲＡＭ３５０は、ＣＰＵ３２０の作業領域として用いられ、ＲＯＭ３４０から読み出されたプログラムやデータ、操作部３３０から入力されたデータ、ＣＰＵ３２０が各種プログラムに従って実行した演算結果等を一時的に記憶する。
【０１０５】
通信部３６０は、ＣＰＵ３２０と外部装置との間のデータ通信を成立させるための各種制御を行う。
【０１０６】
表示部３７０は、ＬＣＤ（Liquid Crystal Display）等により構成される表示装置であり、ＣＰＵ３２０から入力される表示信号に基づいて各種の情報を表示する。表示部３７０には操作部３３０として機能するタッチパネルが設けられていてもよい。
【０１０７】
発振器３１０として例えば上述した各実施形態の発振器１や各変形例の発振器１を適用することにより、信頼性の高い電子機器を実現することができる。
【０１０８】
このような電子機器３００としては種々の電子機器が考えられ、例えば、パーソナルコンピューター（例えば、モバイル型パーソナルコンピューター、ラップトップ型パーソナルコンピューター、タブレット型パーソナルコンピューター）、スマートフォンや携帯電話機などの移動体端末、ディジタルカメラ、インクジェット式吐出装置（例えば、インクジェットプリンター）、デジタルＰＬＬ（Phase Locked Loop）、通信ネットワーク機器（例えば、ルーターやスイッチなどのストレージエリアネットワーク機器、ローカルエリアネットワーク機器）、移動体端末基地局用機器、テレビ、ビデオカメラ、ビデオレコー
ダー、カーナビゲーション装置、リアルタイムクロック装置、ページャー、電子手帳（通信機能付も含む）、電子辞書、電卓、電子ゲーム機器、ゲーム用コントローラー、ワードプロセッサー、ワークステーション、テレビ電話、防犯用テレビモニター、電子双眼鏡、ＰＯＳ端末、医療機器（例えば電子体温計、血圧計、血糖計、心電図計測装置、超音波診断装置、電子内視鏡）、魚群探知機、各種測定機器、計器類（例えば、車両、航空機、船舶の計器類）、フライトシミュレーター、ヘッドマウントディスプレイ、モーショントレース、モーショントラッキング、モーションコントローラー、ＰＤＲ（歩行者位置方位計測）等が挙げられる。
【０１０９】
本実施形態の電子機器３００の一例として、上述した発振器３１０を基準信号源、あるいは電圧可変型発振器（ＶＣＯ）等として用いて、例えば、端末と有線または無線で通信を行う端末基地局用装置等として機能する伝送装置が挙げられる。本実施形態の電子機器３００は、発振器３１０として、例えば上述した各実施形態の発振器１や各変形例の発振器１を適用することにより、例えば通信基地局などに利用可能な、高性能、高信頼性を所望される伝送機器にも適用することができる。
【０１１０】
３．移動体
図１７は、本実施形態の移動体の一例を示す図（上面図）である。図１７に示す移動体４００は、発振器４１０、エンジンシステム、ブレーキシステム、キーレスエントリーシステム等の各種の制御を行うコントローラー４２０，４３０，４４０、バッテリー４５０、バックアップ用バッテリー４６０を含んで構成されている。なお、本実施形態の移動体は、図１７の構成要素（各部）の一部を省略し、あるいは、他の構成要素を付加した構成としてもよい。
【０１１１】
発振器４１０は、共振器（不図示）と、共振器を共振させる発振用回路（不図示）と、発振用回路を制御するための制御用回路（不図示）とを内蔵しており、共振器の共振による発振信号を出力する。この発振信号は発振器４１０からコントローラー４２０，４３０，４４０に供給され、例えばクロック信号として用いられる。
【０１１２】
バッテリー４５０は、発振器４１０及びコントローラー４２０，４３０，４４０に電力を供給する。バックアップ用バッテリー４６０は、バッテリー４５０の出力電圧が閾値よりも低下した時、発振器４１０及びコントローラー４２０，４３０，４４０に電力を供給する。
【０１１３】
発振器４１０として例えば上述した各実施形態の発振器１や各変形例の発振器１を適用することにより、信頼性の高い移動体を実現することができる。
【０１１４】
このような移動体４００としては種々の移動体が考えられ、例えば、自動車（電気自動車も含む）、ジェット機やヘリコプター等の航空機、船舶、ロケット、人工衛星等が挙げられる。
【０１１５】
本発明は本実施形態に限定されず、本発明の要旨の範囲内で種々の変形実施が可能である。
【０１１６】
上述した実施形態および変形例は一例であって、これらに限定されるわけではない。例えば、各実施形態および各変形例を適宜組み合わせることも可能である。
【０１１７】
本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実
施の形態で説明した構成と同一の作用効果を奏する構成又は同一の目的を達成することができる構成を含む。また、本発明は、実施の形態で説明した構成に公知技術を付加した構成を含む。
【符号の説明】
【０１１８】
１  発振器、２  制御用集積回路（ＩＣ）、３  発振用集積回路（ＩＣ）、４  水晶振動子、１０  パッケージ、２１  レギュレーター回路、２２  レギュレーター回路、２３  シリアルインターフェース回路、２４  デジタル演算回路、２５  Ｄ／Ａ変換回路、２６
Ａ／Ｄ変換回路、２７  データ変換回路、２８  ルックアップテーブル、２９  温度センサー、３１  レギュレーター回路、３２  増幅回路、３３  出力回路、１０１  スイッチ制御回路、１０２  演算増幅器、２０１  コンパレータ―、２０２  加算器、２０３  レジスター、２０４  Ｄ／Ａ変換回路、３００  電子機器、３１０  発振器、３２０  ＣＰＵ、３３０  操作部、３４０  ＲＯＭ、３５０  ＲＡＭ、３６０  通信部、３７０  表示部、４００  移動体、４１０  発振器、４２０，４３０，４４０  コントローラー、４５０  バッテリー、４６０  バックアップ用バッテリー
【図１】
0006561482.tif 000002
【図２】
0006561482.tif 000003
【図３】
0006561482.tif 000004
【図４】
0006561482.tif 000005
【図５】
0006561482.tif 000006
【図６】
0006561482.tif 000007
【図７】
0006561482.tif 000008
【図８】
0006561482.tif 000009
【図９】
0006561482.tif 000010
【図１０】
0006561482.tif 000011
【図１１】
0006561482.tif 000012
【図１２】
0006561482.tif 000013
【図１３】
0006561482.tif 000014
【図１４】
0006561482.tif 000015
【図１５】
0006561482.tif 000016
【図１６】
0006561482.tif 000017
【図１７】
0006561482.tif 000018